(57)【要約】      （修正有）【課題】クラブの方向及びスイング軌跡の確認を容易に行うことができるゴルフスイング矯正補助具を得ること。【解決手段】一端にゴルフクラブ１０のグリップ１１における上部の中央孔部１１ａへの差し込みが可能な先細まりの差込部２を有すると共に、他端部に差込部２の中心軸と同一軸線上で反対方向に延びる棒状の方向指示部３を有し、かつ、中間部に差込部２と方向指示部３とを一体的に連結する鍔部４を設けた。【選択図】図２
0003135108.tif 000002
【実用新案登録請求の範囲】
【請求項１】
一端にゴルフクラブのグリップにおける上部の中央孔部への差し込みが可能な先細まりの差込部を有すると共に、他端部に差込部の中心軸と同一軸線上で反対方向に延びる棒状の方向指示部を有し、かつ、中間部に差込部と方向指示部とを一体的に連結する鍔部を備えていることを特徴とするゴルフスイング矯正補助具。
【請求項２】
差込部と方向指示部と鍔部とが合成樹脂材料により一体成形にて形成されていると共に、差込部と方向指示部と鍔部との中心部に補強軸が埋設されていることを特徴とする請求項１に記載のゴルフスイング矯正補助具。
【考案の詳細な説明】
【技術分野】
【０００１】  本考案はスイングの矯正が行えるゴルフスイング矯正補助具に関するものである。
【技術背景】
【０００２】  ゴルフスイングを行う場合、通常構えた位置からシャフトをトップ位置まで引き上げてトップ位置で少しの間をおいて体の安定化を図り、その後力を入れながら同一平面上と通ってダウンスイングに入るようにしている。
【考案の開示】
【考案が解決しようとする課題】
【０００３】  ところで、構えた位置からシャフトをトップ位置まで引き上げる際、腰の高さまでのスイング軌跡を確認することによって、その先の軌道をより正しいものにすることができる。つまり、シャフトの中心軸の延長線が体のヘソの左２〜３センチのところを指し示すように構え、そのまま肩を回し右４５度のポジションにクラブを持っていけばよいのであるが、通常グリップを握ると、その上端部が手の甲や腕などで隠れてしまい、シャフトの中心軸の延長線が体のどの方向を指しているわかりにくくそのため、腰の高さまでのクラブの方向及びスイング軌跡を確認しずらいといった問題があった。また、腰の高さまでクラブを引き上げた後、さらにトップ位置まで引き上げる際にもシャフトの中心軸の延長線がボールの後方への延長線上を向いているかどうかの確認がしずらいものあった。【０００４】  そこで、本考案はゴルフクラブの方向及びスイング軌跡の確認が容易に行うことができるゴルフスイング矯正補助具の提供を課題とする。
【課題を解決するための手段】
【０００５】  上記課題を解決するため、本考案は、一端にゴルフクラブのグリップにおける上部の中央孔部への差し込みが可能な先細まりの差込部を有すると共に、他端部に差込部の中心軸と同一軸線上で反対方向に延びる棒状の方向指示部を有し、かつ、中間部に差込部と方向指示部とを一体的に連結する鍔部を備えていることを特徴とする。
なお、ゴルフクラブとはドライバーやアイアンなどの他、パターも含む概念である。【０００６】  また、本願の請求項２の考案は、請求項１に記載の構成において、差込部と方向指示部と鍔部とが合成樹脂材料により一体成形にて形成されていると共に、差込部と方向指示部と鍔部との中心部に補強軸が埋設されていることを特徴とする。
【考案の効果】
【０００７】  本考案のゴルフスイング矯正補助具は、ゴルフクラブのグリップにおける上部の中央孔部にその差込部を差し込んでセットして使用するのであり、これにより構えた位置にてグリップの上部からシャフトの中心軸の延長線上に延びる棒状の方向指示部が目視できる。その結果、たとえば方向指示部が体のヘソの左２〜３センチのところを指し示すように構え、そのまま肩を回し右４５度のポジションにクラブを持っていけばよく、腰の高さまでのスイング軌跡を確認することによって、その先の軌道をより正しいものにすることができる。その上、腰の高さまでクラブを引き上げた後、さらにトップ位置まで引き上げる際にも方向指示部が設けられていることによりシャフトの中心軸の延長線がボールの後方への延長線上を向いているかどうかの確認も容易に行うことでができる。また、パターのグリップにゴルフスイング矯正補助具を取り付けた場合には、眼下にグリップの上端部から突出するゴルフスイング矯正補助具が位置することになるので、パター動作時にゴルフスイング矯正補助具が良く見え、これによりシャフトの方向や振り子軌跡の確認をより一層正確に行うことができる。【０００８】  また、差込部と方向指示部と鍔部とを合成樹脂材料により一体成形により形成すれば、ゴルフスイング矯正補助具を容易に一体成形してコスト安価に製造することができ、またその場合、差込部と方向指示部と鍔部との中心部に金属線などの補強軸を埋設することにより、差込部が不用意に折れてシャフト内に落ち込んだりする不具合を防止できるので好ましい。
【考案を実施するため最良の形態】
【０００９】  以下、本考案の実施の形態を図面に基づいて説明する。
図は、本考案に係るゴルフスイング矯正補助具を示すもので、該矯正補助具１は、図１及び図２に示すように一端にゴルフクラブ１０のグリップ１１における上部の中央孔部１１ａへの差し込みが可能な先細まりの差込部２を有すると共に、他端部に差込部２の中心軸と同一軸線上で反対方向に延びる棒状の方向指示部３を有し、かつ、中間部に差込部２と方向指示部３とを一体的に連結する鍔部４を備えている。
【００１０】  そして、差込部２と方向指示部３と鍔部４とが合成樹脂材料により一体成形にて形成されると共に、差込部２と方向指示部３と鍔部４との中心部に金属製の補強軸５が埋設されている。
【００１１】  次に、本考案に係るゴルフスイング矯正補助具の作用について説明する。
まず、図２に示すようにゴルフクラブ１０のグリップ１１における上部の中央孔部１１ａに矯正補助具１の差込部２を差し込んで鍔部４がグリップ１１の上部に当接するようにセットする。
【００１２】  次に、このようにセットしたままゴルフクラブ１０を握って構える。すると、図３及び図４に示すように構えた位置にてグリップ１１の上部からグリップ１１（シャフト１２）の中心軸の延長線上に延びる棒状の方向指示部３が目視できる。これにより、方向指示部３が体のヘソの左２〜３センチのところを指し示すように意識して構えることができる。
【００１３】  その後、ゆっくりとテイクバック動作に入るのであるが、そのとき構えた状態で腰を残したまま肩を回し図５及び図６に示すように右４５度のポジションにクラブを持っていけばよい。この際にも方向指示部３が目視できるので、腰の高さまでのクラブ１０の方向及びスイング軌跡を確認することができる。これにより腰の高さからその先の軌道をより正しいものにすることができる。また、腰の高さまでクラブ１０を引き上げた後、さらにトップ位置まで引き上げる際にも図７に示すように方向指示部３がボールＢの後方への延長線上を向いているかどうかの確認を行うのであり、これにより腰の高さからトップ位置までクラブ１０の方向やスイング軌跡の確認についても行うことが可能となる。
【００１４】  また、差込部２と方向指示部３と鍔部４とを合成樹脂材料により一体成形することにより、ゴルフスイング矯正補助具１を容易に成形することができ、かつコスト安価に製造することができる。また、その場合、差込部２と方向指示部３と鍔部４との中心部に金属線などの補強軸５を埋設して強化しているので、差込部２が外物に当たったりしたときに差込部２が鍔部との連結部分で不用意に折れてシャフト１２内に落ち込んだりするのを防止できる。つまり、シャフト１２の中に折れた差込部２が入ってしまいカタカタと異音がすることになり、そのため、グリップを一旦シャフトから取り外し、そのうえで折れた差込部２を取り除かなければならないといった不具合を防止できる。
【００１５】  なお、以上の実施の形態では、ゴルフスイング矯正補助具１を合成樹脂材料により形成したけれども、この他、例えば金属材料やゴムなどにより一体的に形成してもよいこと勿論である。
【００１６】  また、以上においてはドライバーやアイアンなどのゴルフクラブのグリップにゴルフスイング矯正補助具１を取り付けてトップ位置からスイングする場合について説明したけれども、この他、ゴルフクラブとしてパターのグリップにゴルフスイング矯正補助具１を取り付けてもよい。ゴルフスイング矯正補助具１をパターに取り付けた場合には、眼下にグリップの上端部から突出するゴルフスイング矯正補助具１が位置することになるので、パター動作時にゴルフスイング矯正補助具１が良く見え、これによりシャフトの方向や振り子軌跡の確認をより一層正確に行うことができる。
【図面の簡単な説明】
【００１７】
【図１】  本考案に係るゴルフスイング矯正補助具の縦断面図である。
【図２】  同矯正補助具をゴルフクラブに取り付けた状態の一部省略縦断面図である。
【図３】  構えた状態の正面図である。
【図４】  同簡略平面図である。
【図５】  テイクバック開始状態の正面図である。
【図６】  同簡略平面図である。
【図７】  テイクバック途中の正面図である。
【符号の説明】
【００１８】  １        ゴルフスイング矯正補助具
２        差込部
３        方向指示部
４        鍔部
５        補強軸
【図１】
0003135108.tif 000003
【図２】
0003135108.tif 000004
【図３】
0003135108.tif 000005
【図４】
0003135108.tif 000006
【図５】
0003135108.tif 000007
【図６】
0003135108.tif 000008
【図７】
0003135108.tif 000009